(57)【要約】【目的】  本発明は、串を火床内で保持できる屋外用燃焼装置を得る。【構成】  屋外用燃焼装置Ｂは、燃焼空間を有する火床１００と、燃焼空間の上側または燃焼空間内において火床１００の側板１１０よりも当該火床１００の中央部側且つ火床１００の側板１１０に対して斜め上側に配置される串保持具３００とを備えている。火床１００の側板１１０は、当該側板１１０を貫通した第１保持孔１１３を有している。串保持具３００は、第２保持孔３１０を有している。第２保持孔３１０は、串保持具３００を上下に貫通しており且つ第１保持孔３１１の斜め上側に配置される。【選択図】      図１Ａ
2019042213.tif 000002
【特許請求の範囲】
【請求項１】
燃焼空間を有する火床と、
前記燃焼空間の上側または前記燃焼空間内において前記火床の一部よりも当該火床の中央部側且つ前記火床の前記一部に対して斜め上側に配置される串保持具とを備えており、
前記火床の前記一部は、当該一部を貫通した第１保持孔を有し、
前記串保持具は、第２保持孔を有しており、
前記第２保持孔は、前記串保持具を上下に貫通しており且つ前記第１保持孔の斜め上側に配置される屋外用燃焼装置。
【請求項２】
請求項１記載の屋外用燃焼装置において、
前記火床は、前記一部を有する側板を有しており、
前記側板の少なくとも前記一部が、前記串保持具に対向するように前記火床の中央部側に下り傾斜している屋外用燃焼装置。
【請求項３】
燃焼空間を有する火床と、
前記火床を覆うフレームと、
前記燃焼空間の上側または前記燃焼空間内において前記フレームの一部よりも前記火床の中央部側且つ前記フレームの前記一部に対して斜め上側に配置される串保持具とを備えており、
前記フレームの前記一部は、当該一部を貫通した第１保持孔を有し、
前記串保持具は、第２保持孔を有しており、
前記第２保持孔は、前記串保持具を上下に貫通しており且つ前記第１保持孔の斜め上側に配置される屋外用燃焼装置。
【請求項４】
請求項３記載の屋外用燃焼装置において、
前記フレームの少なくとも前記一部が、前記串保持具に対向するように前記火床の中央部側に下り傾斜している屋外用燃焼装置。
【請求項５】
請求項１〜４の何れかに記載の屋外用燃焼装置において、
一対の懸架部材をさらに備えており、
前記火床は、第１方向に間隔をあけて配置された一対の第１支持部と、
前記第１方向に間隔をあけて配置されており且つ前記一対の第１支持部に対向する一対の第２支持部とを有しており、
前記懸架部材は、前記一対の第１支持部と前記一対の第２支持部に支持されており且つ前記串保持具を前記燃焼空間の上側または前記燃焼空間内で支持する屋外用燃焼装置。
【請求項６】
請求項１〜４の何れかに記載の屋外用燃焼装置において、
前記火床の上側で第１方向に間隔をあけて配置された一対の第１支持部と、
前記火床の上側で前記第１方向に間隔をあけて配置されており且つ前記一対の第１支持部に対向する一対の第２支持部と、
一対の懸架部材とをさらに備えており、
前記懸架部材は、前記一対の第１支持部と前記一対の第２支持部に支持されており且つ前記串保持具を前記燃焼空間の上側または前記燃焼空間内で支持する屋外用燃焼装置。
【請求項７】
請求項１〜４の何れかに記載の屋外用燃焼装置において、
高架部材をさらに備えており、
前記火床は、第１方向に間隔をあけて配置されたスリットである一対の第１支持部と、
前記第１方向に間隔をあけて配置されたスリットであって、前記一対の第１支持部に対向する一対の第２支持部とを有しており、
前記高架部材は、網部と、網部の両端部に設けられた一対のアームとを有しており、
前記一対のアームのうちの一方のアームの自由端部には、前記火床の前記第１支持部の間の部分が嵌合する環状の係合部が設けられており、他方のアームの自由端部には、前記火床の前記第２支持部の間の部分が嵌合する環状の係合部が設けられている屋外用燃焼装置。
【請求項８】
請求項７記載の屋外用燃焼装置において、
一対の懸架部材をさらに備えており、
前記懸架部材は、前記一対の第１支持部と前記一対の第２支持部に支持されており且つ前記串保持具を前記燃焼空間の上側または前記燃焼空間内で支持しており、
前記高架部材の一対のアーム部の自由端部は前記懸架部材上に載置されている屋外用燃焼装置。
【発明の詳細な説明】
【技術分野】
【０００１】
本発明は、バーベキューグリルや焚火台などの屋外用燃焼装置に関する。
【背景技術】
【０００２】
従来の屋外用燃焼装置には、串保持具が取り付けられているものがある（下記特許文献１参照）。この串保持具は、下向きＵ字状のフックと、このフックから延びた水平板と、この水平板から下方へ延びた垂直板とを備えている。フックが火床の側板に引っ掛けられ、水平板および垂直板は火床の外側に配置される。この水平板および垂直板に設けられた挿入孔に串が挿入され、串を火床側に斜めに傾斜させて保持するようになっている。
【先行技術文献】
【特許文献】
【０００３】
【特許文献１】実用新案登録第３１５６９１１５号公報
【発明の概要】
【発明が解決しようとする課題】
【０００４】
この従来の串保持具は、火床の外側で串を保持するため、串に刺さった食材から火床内の熱源までの距離が遠い。
【０００５】
本発明は、上記事情に鑑みて創案されたものであって、その目的とするところは、串を火床内で保持できる屋外用燃焼装置を提供する。
【課題を解決するための手段】
【０００６】
上記課題を解決するために、本発明の一態様の屋外用燃焼装置は、燃焼空間を有する火床と、燃焼空間の上側または燃焼空間内において火床の一部よりも当該火床の中央部側且つ火床の一部に対して斜め上側に配置される串保持具とを備えている。火床の一部は、当該一部を貫通した第１保持孔を有している。串保持具は第２保持孔を有している。第２保持孔は、串保持具を上下に貫通しており且つ第１保持孔の斜め上側に配置されるようになっている。
【０００７】
このような態様の屋外用燃焼装置による場合、串保持具は、燃焼空間の上側または燃焼空間内において、火床の一部よりも当該火床の中央部側に位置し、且つ火床の一部に対して斜め上側に配置されるようになっているので、串の下端部を火床の側板の第１保持孔と串保持具の第２保持孔に挿入することによって、串が火床内で斜めに傾斜させて保持される。このため、串に刺さった食材と火床の燃焼空間内の熱源との距離を近くすることができる。
【０００８】
火床は、一部を有する側板を有する構成とすることが可能である。側板の少なくとも一部が、串保持具に対向するように火床の中央部側に下り傾斜した構成とすることが可能である。
【０００９】
このような態様の屋外用燃焼装置による場合、第１保持孔が設けられる側板の少なくとも一部が串保持具に対向するように火床の中央部側に下り傾斜しているため、串の下端部が第１保持孔に挿入し易くなる。
【００１０】
本発明の別の態様の屋外用燃焼装置は、燃焼空間を有する火床と、火床を覆うフレームと、燃焼空間の上側または燃焼空間内においてフレームの一部よりも火床の中央部側且つフレームの一部に対して斜め上側に配置される串保持具とを備えている。フレームの一部は、当該一部を貫通した第１保持孔を有している。串保持具は第２保持孔を有している。第２保持孔は、串保持具を上下に貫通しており且つ第１保持孔の斜め上側に配置されるようになっている。
【００１１】
このような態様の屋外用燃焼装置による場合、串保持具は、燃焼空間の上側または燃焼空間内において、火床の一部よりも当該火床の中央部側に位置し、且つ火床の一部に対して斜め上側に配置されるようになっているので、串の下端部を火床の側板の第１保持孔と串保持具の第２保持孔に挿入することによって、串が火床内で斜めに傾斜させて保持される。このため、串に刺さった食材と火床の燃焼空間内の熱源との距離を近くすることができる。
【００１２】
フレームの少なくとも一部が、串保持具に対向するように火床の中央部側に下り傾斜した構成とすることが可能である
【００１３】
このような態様の屋外用燃焼装置による場合、第１保持孔が設けられるフレームの少なくとも一部が串保持具に対向するように火床の中央部側に下り傾斜しているため、串の下端部が第１保持孔に挿入し易くなる。
【００１４】
上記した何れかの態様の屋外用燃焼装置は、一対の懸架部材をさらに備えた構成とすることが可能である。火床は、第１方向に間隔をあけて配置された一対の第１支持部と、第１方向に間隔をあけて配置されており且つ一対の第１支持部に対向する一対の第２支持部とを有する構成とすることが可能である。懸架部材は、一対の第１支持部と一対の第２支持部に支持されており且つ串保持具を燃焼空間の上側または燃焼空間内で支持する構成とすることが可能である。
【００１５】
または、上記した何れかの態様の屋外用燃焼装置は、火床の上側で第１方向に間隔をあけて配置された一対の第１支持部と、火床の上側で第１方向に間隔をあけて配置されており且つ一対の第１支持部に対向する一対の第２支持部と、一対の懸架部材とをさらに備えた構成とすることが可能である。懸架部材は、一対の第１支持部と一対の第２支持部に支持されており且つ串保持具を燃焼空間の上側または燃焼空間内で支持する構成とすることが可能である。
【００１６】
上記した何れかの態様の屋外用燃焼装置は、高架部材をさらに備えた構成とすることが可能である。この場合、火床は、第１方向に間隔をあけて配置されたスリットである一対の第１支持部と、第１方向に間隔をあけて配置されたスリットであって、一対の第１支持部に対向する一対の第２支持部とを有する構成とすることが可能である。高架部材は、網部と、網部の両端部に設けられた一対のアームとを有する構成とすることが可能である。一対のアームのうちの一方のアームの自由端部には、火床の第１支持部の間の部分が嵌合する環状の係合部が設けられており、他方のアームの自由端部には、火床の第２支持部の間の部分が嵌合する環状の係合部が設けられた構成とすることが可能である。
【００１７】
このような態様の屋外用燃焼装置による場合、高架部材の一対のアームの係合部内に、火床の第１支持部の間の部分および火床の第２支持部の間の部分が各々嵌合するので、火床に取り付けられた高架部材の状態が安定する。
【００１８】
屋外用燃焼装置は、一対の懸架部材をさらに備えた構成とすることが可能である。この場合、懸架部材は、一対の第１支持部と一対の第２支持部に支持されており且つ串保持具を燃焼空間の上側または燃焼空間内で支持した構成とすることが可能である。高架部材の一対のアーム部の自由端部は懸架部材上に載置された構成とすることが可能である。
【００１９】
このような態様の屋外用燃焼装置による場合、高架部材の一対のアームの係合部内に、火床の第１支持部の間の部分および火床の第２支持部の間の部分が各々嵌合すると共に、アームの自由端部が懸架部材上に載置されているので、火床に取り付けられた高架部材の状態がより安定する。
【図面の簡単な説明】
【００２０】
【図１Ａ】本発明の実施例１に係る屋外用燃焼装置の平面図である。
【図１Ｂ】前記屋外用燃焼装置の正面図である。
【図１Ｃ】前記屋外用燃焼装置の側面図である。
【図１Ｄ】前記屋外用燃焼装置の火床の側板と串保持具との位置関係を説明する概略的部分断面図である。
【図１Ｅ】前記屋外用燃焼装置の串保持具が懸架部材に懸架された状態を説明する概略的部分断面図である。
【図２Ａ】実施例１に係る屋外用燃焼装置の第１設計変形例の平面図である。
【図２Ｂ】前記第１設計変形例の屋外用燃焼装置の正面図である。
【図３Ａ】本発明の実施例２に係る屋外用燃焼装置の正面図である。
【図３Ｂ】前記屋外用燃焼装置の正面図である。
【図３Ｃ】前記屋外用燃焼装置の側面図である。
【図４Ａ】実施例２に係る屋外用燃焼装置の第１設計変形例の平面図である。
【図４Ｂ】前記第１設計変形例の屋外用燃焼装置の正面図である。
【図５Ａ】実施例２に係る屋外用燃焼装置の第２設計変形例の拡大部分斜視図である。
【図５Ｂ】前記第２設計変形例の屋外用燃焼装置の別角度の拡大部分斜視図である。
【図５Ｃ】前記第２設計変形例の屋外用燃焼装置の高架部材の底面側から見た斜視図である。
【発明を実施するための形態】
【００２１】
以下、本発明の実施例１、実施例２およびその設計変形例を含む複数の実施例に係る屋外用燃焼装置Ｂついて図１Ａ〜図４Ｂを参照しつつ説明する。屋外用燃焼装置Ｂは、バーベキューグリルおよび／または焚火台である。図１Ａ〜図１Ｃには、実施例１の屋外用燃焼装置Ｂが示されており、図２Ａおよび図２Ｂには、実施例１の屋外用燃焼装置Ｂの第１設計変形例が示されている。図３Ａ〜図３Ｃには、実施例２の屋外用燃焼装置Ｂが示されており、図４Ａおよび図４Ｂには、実施例２の屋外用燃焼装置Ｂの第１設計変形例が示されている。
【００２２】
なお、図１Ｂ、図２Ｂ、図３Ｂおよび図４Ｂに示すＺ−Ｚ’方向は屋外用燃焼装置Ｂの高さ方向であり、図１Ａ、図１Ｂ、図２Ａ、図２Ｂ、図３Ａ、図３Ｂ、図４Ａおよび図４ＢにＸ−Ｘ’方向はＺ−Ｚ’方向に直交する方向であり、図１Ｂ、図２Ｂ、図３Ｂおよび図４Ｂに示すＹ−Ｙ’方向はＺ−Ｚ’方向およびＸ−Ｘ’方向に直交する方向である。Ｘ−Ｘ’方向が特許請求の範囲の第１方向に相当している。
【００２３】
屋外用燃焼装置Ｂは火床１００を備えている。火床１００は、内部に燃焼空間を有している。火床１００は、４以上の側板１１０を有している。側板１１０は、一対の側辺を有している。側板１１０は、環状に配置されている。火床１００は、下記１）〜４）の何れかの構成をさらに有している。
【００２４】
１）火床１００は、上下逆の中空の四角錘台状（図１Ａ〜図４Ｂ参照）であって、４つの上下逆の台形状の側板１１０、４つのヒンジ部１２１および２つのヒンジ部１２２を有している。または、火床１００は、四角筒状であって、４つの矩形状の側板１１０、４つのヒンジ部１２１および２つのヒンジ部１２２を有している。何れの場合も、側板１１０は、二つの側板１１０ａと、二つの側板１１０ｂとを含む。側板１１０ａ、１１０ｂは展開状態で四角環状に配置されており、側板１１０ａはＹ−Ｙ’方向において対向し、側板１１０ｂはＸ−Ｘ’方向で対向している。側板１１０ａのうちのＹ方向側の側板１１０ａは、二つの側板１１０ｂと隣り合っており、Ｙ方向側の側板１１０ａのＸ方向側、Ｘ’方向側の側辺と二つの側板１１０ｂの一対の側辺のうちのＹ方向側の側辺とがヒンジ部１２１によって各々回動自在に連結されている。Ｙ’方向側の側板１１０ａも、二つの側板１１０ｂと隣り合っており、Ｙ’方向側の側板１１０ａのＸ方向側、Ｘ’方向側の側辺と二つの側板１１０ｂのＹ’方向側の側辺とがヒンジ１２１部によって各々回動自在に連結されている。側板１１０ｂは、当該側板１１０ｂを二分し対称形状をなす第１板１１１ｂおよび第２板１１２ｂを各々有している。第１板１１１ｂは、側板１１０ｂの前記Ｙ方向側の側辺およびその反対側の対辺を有し、第２板１１２ｂは、側板１１０ｂの前記Ｙ’方向側の側辺およびその反対側の対辺を有している。側板１１０ｂの各々において、第１板１１１ｂの対辺と第２板１１２ｂの対辺とがヒンジ部１２２によって回動自在に連結されている。展開状態の火床１００の側板１１０ｂの第１板１１１ｂおよび第２板１１２ｂを火床１００の内側に各々谷折りさせ、且つ側板１１０ａの間で折り畳まれた第１板１１１ｂおよび第２板１１２ｂを挟持させることにより、火床１００が平板状に折り畳まれる。
【００２５】
２）火床１００は、上下逆の中空の多角錘台状であって、４以上の偶数の上下逆の台形状の側板１１０および４以上のヒンジ部１２１を有している。または、火床１００は、筒状であって、４以上の偶数の側板１１０および４以上のヒンジ部１２１を有している。何れの場合も、側板１１０は展開状態で環状に配置されており、側板１１０のうちの隣り合う側板１１０の側辺同士がヒンジ部１２１によって各々回動自在に連結されている。火床１００は、４つの偶数の側板１１０を備えている場合、展開状態の火床１００の側板１１０のうちの二組の隣り合う側板１１０を互いに面接触させることによって、火床１００が平板状に折り畳まれる。火床１００は、６以上の偶数の側板１１０を備えている場合、展開状態の火床１００の二組の隣り合う側板１１０を互いに面接触させると共に、二組の隣り合う側板１１０の間の側板１１０を二つずつ互いに面接触させることによって、火床１００が平板状に折り畳まれる。
【００２６】
３）火床１００は、４以上の偶数の三角形の側板１１０および４以上のヒンジ部１２１を有している。側板１１０は展開状態で環状（すなわち、上下逆の中空の多角錘状）に配置されており、側板１１０のうちの隣り合う側板１１０の側辺同士がヒンジ部１２１によって各々回動自在に連結されている。この場合の火床１００は、上記２）と同様に、展開状態から平板状に折り畳むことができる。
【００２７】
４）火床１００は、４以上の側板１１０を有している。側板１１０は組立状態で多角環状に配置されており、側板１１０のうちの隣り合う側板１１０の側辺同士が着脱自在に連結されている。例えば、隣り合う側板１１０の一方の側辺に少なくとも一つの係合突部が設けられており、他方の側板１１０の側辺に少なくとも一つの係合孔が設けられている。火床１００の側板１１０は、係合突部を係合孔に係合させることによって組み立てられ、係合突部を係合孔から抜くことによって分解される。
【００２８】
上記した側板１１０のうち、一つの側板１１０および別の一つの側板１１０は、互いに対向している。以下、説明の便宜上、この対向する二つの側板１１０を第１組の側板１１０と称する。一つの側板１１０（図１Ａ〜図４Ｂでは、一つの側板１１０ａ）が複数の第１支持部Ｓ１を有し、別の一つの側板１１０（図１Ａ〜図４Ｂでは、もう一つの側板１１０ａ）が複数の第２支持部Ｓ２を有している。複数の第１支持部Ｓ１は、一つの側板１１０の上縁自体、一つの側板１１０の上縁に設けられており且つ上方向（Ｚ方向）に開口したスリット（図１Ａ〜図１Ｂおよび図３Ａ〜図３Ｂ参照）、一つの側板１１０に設けられた貫通孔（図２Ａ〜図２Ｂおよび図４Ａ〜図４Ｂ参照）、または一つの側板１１０の上縁から上方向（Ｚ方向）にのびた一対の突部などであり、複数の第２支持部Ｓ２は、別の一つの側板１１０の上縁自体、別の一つの側板１１０の上縁に設けられており且つ上方向（Ｚ方向）に開口したスリット（図１Ａ〜図１Ｂおよび図３Ａ〜図３Ｂ参照）、別の一つの側板１１０に設けられた貫通孔（図２Ａ〜図２Ｂおよび図４Ａ〜図４Ｂ参照）、または別の一つの側板１１０の上縁から上方向（Ｚ方向）にのびた一対の突部などである。複数の第１支持部Ｓ１はＸ−Ｘ’方向に間隔をあけて配置されており、複数の第２支持部Ｓ２は、Ｘ−Ｘ’方向に間隔をあけて配置されている。複数の第１支持部Ｓ１と複数の第２支持部Ｓ２とが一つずつ互いに対向し、複数の第１支持部Ｓ１と複数の第２支持部Ｓ２とが一つずつ互いに対向している。複数の第１支持部Ｓ１および複数の第２支持部Ｓ２は、ほぼ同じ高さに位置していると良いが、若干相違していても良い。
【００２９】
屋外用燃焼装置Ｂは、燃料載置部４００をさらに備えている。燃料載置部４００は、図１および２に示されるロストル（火格子）または耐熱板であって、火床１００内の下部に配置されており且つ炭や薪などの固形燃料が載置可能である。燃料載置部４００は複数の孔を有している。燃料載置部４００がロストルである場合、ロストルの格子間の隙間が孔となる。燃料載置部４００が耐熱板である場合、耐熱板を貫通する複数の孔が設けられている。燃料載置部４００は、火床１００の側板１１０の下部に当接し支持される構成、または、火床１００の側板１１０の下部に設けられた係合部に係合され支持される構成とすることが可能である。
【００３０】
屋外用燃焼装置Ｂは一対の懸架部材２００をさらに備えている。一対の懸架部材２００の各々は、第１支持部Ｓ１および第２支持部Ｓ２間の距離よりも大きい長さ寸法を有する直線状の金属棒（図１Ａ〜図２Ｂ、図３Ａ〜図３Ｂおよび図４Ａ〜図４Ｂ参照）や金属板などである。一対の懸架部材２００の長手方向の両端部のうちの少なくとも一方がＺ−Ｚ’方向に折り曲げられていても良いし、一対の懸架部材２００の長手方向の両端部のうちの少なくとも一方が接続されていても良い。一対の懸架部材２００は、複数の第１支持部Ｓ１および複数の第２支持部Ｓ２によって着脱自在に支持され、第１組の側板１１０に懸架されている。この懸架状態で、一対の懸架部材２００は、複数の第１支持部Ｓ１と同様の間隔をあけて配置されている。より具体的には、一対の懸架部材２００の各々は、下記１）〜４）の何れかのとおりに第１組の側板１１０に懸架されている。
１）第１支持部Ｓ１および第２支持部Ｓ２が第１組の側板１１０の上縁である場合、懸架部材２００の第１、第２部が上縁上に各々載置されている。この場合、懸架部材２００が上方に持ち上げられることによって、懸架部材２００の第１、第２部の上縁に対する載置が解除される。
２）第１支持部Ｓ１および第２支持部Ｓ２が第１組の側板１１０のスリットである場合（図１参照）、懸架部材２００の第１、第２部がスリット内に上方から各々挿入支持されている。この場合、懸架部材２００が上方に持ち上げられることによって、懸架部材２００の第１、第２部がスリットから各々脱する。
３）第１支持部Ｓ１および第２支持部Ｓ２が第１組の側板１１０の貫通孔である場合（図２参照）、懸架部材２００が貫通孔内に略水平方向から各々挿入され、懸架部材２００の第１、第２部が貫通孔に各々支持されている。この場合、懸架部材２００が挿入時と逆方向に引っ張られることによって、懸架部材２００が貫通孔から各々脱する。なお、懸架部材２００が上記のとおり折り曲げられている場合、貫通孔は、懸架部材２００のＺ−Ｚ’方向の寸法よりも大きい長孔（例えば、角長孔や丸長孔）とすると良い。
４）第１支持部Ｓ１および第２支持部Ｓ２が第１組の側板１１０の一対の突部である場合、懸架部材２００の第１、第２部が突部間に上方から各々挿入支持されている。この場合、懸架部材２００が上方に持ち上げられることによって、懸架部材２００の第１、第２部が突部間から各々脱する。
【００３１】
屋外用燃焼装置Ｂは、串保持具３００をさらに備えている。串保持具３００は、耐熱板または耐熱ブロックなどであって、一対の懸架部材２００に懸架されている。例えば、串保持具３００は、以下のとおり一対の懸架部材２００に懸架されている。
１）串保持具３００の両端部が、一対の懸架部材２００の上面または下面に溶接、ビス止めまたはネジ止めなどの周知の固定手段によって固定されている。
２）串保持具３００の両端部に設けられたフック３０１（図１Ｅ参照）が一対の懸架部材２００に引っ掛けられ、当該フック３０１が一対の懸架部材２００に前記周知の固定手段によって固定されている。この場合、串保持具３００の中間部は、一対の懸架部材２００よりも上側または下側に位置する。
３）串保持具３００の両端部に設けられたフック３０１が一対の懸架部材２００に取外し可能に引っ掛けられている。この場合、串保持具３００の中間部は、一対の懸架部材２００よりも上側または下側に位置する。
４）串保持具３００の両端部に設けられたガイド孔内に一対の懸架部材２００が挿脱可能に挿入支持されている。
【００３２】
一対の懸架部材２００が第１支持部Ｓ１、第２支持部Ｓ２に各々支持され、串保持具３００が一対の懸架部材２００に支持された状態で、串保持具３００は火床１００の燃焼空間内または燃焼空間の上側に配置されると共に、火床１００の側板１１０の上端部よりも中央部側で且つ火床１００の側板１１０の斜め上に配置される。火床１００の側板１１０は、図１Ｄに示すように串保持具３００にＺ−Ｚ’方向において対向するように火床１００の中央部側に下り傾斜していても良いし、傾斜しておらずＺ−Ｚ’方向に延びていても良い。
【００３３】
側板１１０の上端部には、側板１１０が傾斜しているか否かにかかわらず、少なくとも一つの第１保持孔１１３が設けられていると良い。この少なくとも一つの第１保持孔１１３は、側板１１０をその厚み方向に貫通している。第１保持孔１１３は複数とすることが可能である。この場合、複数の第１保持孔１１３は、一列または複数列で間隔をあけて配置されていても良い。複数の第１保持孔１１３は、千鳥配置することも可能である。図１Ａ〜図４Ｂでは、第１保持孔１１３は、複数であって、複数の丸孔の第１保持孔１１３と、複数の角孔の第１保持孔１１３とを含んでいる。なお、少なくとも一つの第１保持孔１１３の形は、図示しない串が挿脱可能であればどのようなものであっても良い。
【００３４】
串保持具３００には、少なくとも一つの第２保持孔３１０が設けられていると良い。この少なくとも一つの第２保持孔３１０は、串保持具３００を上下（Ｚ−Ｚ’方向）に貫通している。少なくとも一つの第２保持孔３１０は、この少なくとも一つの第１保持孔１１３よりも火床１００の中央部側に位置すると共に、少なくとも一つの第１保持孔１１３に対して斜め上側に位置していると良い。第２保持孔３１０は複数とすることが可能である。この場合、複数の第２保持孔３１０は、一列または複数列で間隔をあけて配置されていても良い。複数の第２保持孔３１０は、千鳥配置することも可能である。図１Ａ〜図４Ｂでは、第２保持孔３１０は、複数であって、複数の丸孔の第２保持孔３１０と、複数の角孔の第２保持孔３１０とを含んでいる。なお、少なくとも一つの第２保持孔３１０の形は、串が挿脱可能であればどのようなものであっても良い。
【００３５】
上記した何れかの態様の第１保持孔１１３および第２保持孔３１０に串の下端部が挿入されると、串が火床１００の中央部側に傾斜した状態で第１保持孔１１３および第２保持孔３１０によって火床１００内で保持される。
【００３６】
屋外用燃焼装置Ｂは脚部５００をさらに備えている。脚部５００は、火床１００を中空支持している。例えば、脚部５００は下記１）または２）構成とすることが可能である。
１）脚部５００は、中空の多角錘台状（図１Ａ〜図４Ｂでは、中空の四角錘台状）をなしており、上下逆の中空の多角錘台状の火床１００を入れ子状に支持する構成となっている。
２）脚部５００は、火床１００の側板１１０から下方に延びた３以上の脚を有する構成とすることが可能である。
【００３７】
屋外用燃焼装置Ｂは、灰受け６００または図示しない底板をさらに備えた構成とすることが可能である。灰受け６００は、一対のフックによって脚部５００に吊り下げ支持され、火床１００下に配置されている。灰受け６００が火床１００内から落下する固形燃料の灰などを受ける。底板は、火床１００内の燃料載置部４００よりも下側（Ｚ’方向側）に配置されており且つ火床１００内から落下する固形燃料の灰を受ける。
【００３８】
屋外用燃焼装置Ｂは、図５Ａ〜図５Ｃに示す高架部材８００をさらに備えた構成とすることが可能である。高架部材８００は、網部８１０と、この網部８１０の両端部に回動自在に設けられた略Ｕ字状のアーム８２０ａ、８２０ｂとを有している。アーム８２０ａ、８２０ｂの自由端部には、環状の係合部８２１ａ、８２１ｂが設けられている。この高架部材８００を火床１００に取り付けるときには、第１支持部Ｓ１および第２支持部Ｓ２は上記したスリットであると良い。係合部８２１ａ内に、火床１００の第１組の側板１１０の隣り合う二つの第１支持部Ｓ１の部分が嵌合し、係合部８２１ｂ内に、火床１００の第１組の側板１１０の隣り合う二つの第２支持部Ｓ２の部分が嵌合すると共に、係合部８２１ａ、８２１ｂが前述の二つの第１支持部Ｓ１および第２支持部Ｓ２に支持された一対の懸架部材２００上に載置されている。このようにして高架部材８００が火床１００に取り付けられ、高架部材８００が火床１００の側板１１０および高架部材８００に安定的に支持される。網部８１０上に食材を載置したり網部８１０に食材を吊るしたりして当該食材を調理することが可能である。
【００３９】
高架部材８００を火床１００に取り付けるにあたり、一対の懸架部材２００を第１支持部Ｓ１および第２支持部Ｓ２から取り外すことができる。この場合、係合部８２１ａ内に、火床１００の第１組の側板１１０の隣り合う二つの第１支持部Ｓ１の部分が嵌合し、係合部８２１ｂ内に、火床１００の第１組の側板１１０の隣り合う二つの第２支持部Ｓ２の部分が嵌合すると共に、係合部８２１ａが前述の二つの第１支持部Ｓ１に支持され、係合部８２１ｂが前述の二つの第２支持部Ｓ２に支持される。このようにしても、高架部材８００が火床１００に取り付けられ、高架部材８００が火床１００の側板１１０に安定的に支持される。なお、高架部材８００は省略可能である。高架部材８００を火床１００に取り付ける構造としては、串保持具３００および第１、第２保持孔１１３、３１０は省略できる。
【００４０】
以上のような屋外用燃焼装置Ｂによる場合、上記のとおり串が火床１００の中央部側に傾斜した状態で第１保持孔１１３および第２保持孔３１０によって火床１００内で保持される。その結果、串に刺さった食材と火床１００の燃焼空間内の熱源との距離を近くすることができる。
【００４１】
しかも、少なくとも一つの第１保持孔１１３は、側板１１０の上端部に設けられていることから、串の下端部を上記のとおり火床１００で保持するようにしても、串の下端部が熱源によって熱せられ難い。
【００４２】
さらに、少なくとも一つの第１保持孔１１３が火床１００の側板１１０に設けられていることから、少なくとも一つの第１保持孔１１３が設けられる部材を別途設ける場合に比べて、屋外用燃焼装置Ｂの部品点数の増加を抑制することができる。
【００４３】
また、少なくとも一つの第１保持孔１１３が設けられる側板１１０が上記のとおり傾斜しており、串保持具３００に対向している場合、この少なくとも一つの第１保持孔１１３は、垂直な側板１１０に設けられた少なくとも一つの第１保持孔１１３に比べて串の下端部が挿入し易い。
【００４４】
最後に、串保持具３００が懸架部材２００に対して懸架部材２００の長手方向に移動自在である場合、または、懸架部材２００が第１、第２支持部Ｓ１、Ｓ２に支持された状態で、懸架部材２００の長手方向に移動自在である場合、串保持具３００の少なくとも一つの第２保持孔３１０の第１保持孔１１１に対する相対的な位置を変えることができ、その結果、少なくとも一つの第１保持孔１１１および第２保持孔３１０で保持される串の傾斜角を変えることができる。また、串保持具３００が懸架部材２００よりも上または下に位置するように、懸架部材２００が第１、第２支持部Ｓ１、Ｓ２に支持させることによっても、少なくとも一つの第１保持孔１１１および第２保持孔３１０で保持される串の傾斜角も変えることができる。
【００４５】
なお、上記した屋外用燃焼装置は、上記実施例に限定されるものではなく、特許請求の範囲の記載範囲において任意に設計変更することが可能である。以下、詳しく述べる。
【００４６】
本発明の火床は、固形燃料を収容可能である限り任意に設計変更することが可能である。例えば、上記火床１００は、上記ヒンジ部１２１を省略し、側板１１０の側辺同士が溶接等で接続されていても良い。この場合、側板１１０は多角形であれば良く、且つ側板１１０の数は３以上であれば良い。または、火床１００は円筒状とすることも可能である。この場合、側板１１０の数は一つである。また、上記した何れかの態様の火床は、略半球殻状または碗状とすることも可能である。
【００４７】
本発明の屋外用燃焼装置は、上記した何れかの態様の火床の覆うフレームをさらに備えた構成とすることが可能である。フレームは、上記した何れかの態様の火床の外面を覆う筒体、上側開放の筐体、または板体である。
【００４８】
本発明の脚部は、上記した何れかの態様の火床を中空で直接的または間接的に保持する構成または筒体または筐体のフレームを中空で直接的または間接的に保持する構成であるかぎり任意に設計変更することが可能である。また、本発明の脚部が、下向き略Ｕ字状、Ｈ字状またはＸ字状などであって、この脚部間が連結部で連結された構成とすることが可能である。この場合、上記した何れかの態様の火床が脚部および／または連結部に支持されており、上記したフレームをなす板体が脚部および／または連結部に取り付けられており、火床の外面を覆っていると良い。
【００４９】
本発明の第１支持部、第２支持部は、屋外用燃焼装置の火床、フレーム、脚部、連結部および、これらのうちの一つに設けられた棒、板またはパイプなどの支持部材のうちの何れか一つに設けられており且つ上記した何れかの態様の懸架部材が第１支持部および第２支持部に懸架されるように、当該懸架部材を支持するものであれば良い。第１支持部、第２支持部が火床以外に設けられている場合、第１支持部、第２支持部は、火床よりも上側に位置していると良く、例えば、上縁、スリット、貫通孔または一対の突部とすることが可能である。上縁は、フレーム、脚部、連結部または支持部材の上縁であり、スリットはフレーム、脚部、連結部または支持部材の上縁に設けられており、貫通孔はフレーム、脚部、連結部または支持部材に設けられており、一対の突部は、フレーム、脚部、連結部または支持部材に設けられていると良い。なお、本発明の第２支持部は、屋外用燃焼装置の火床、フレーム、脚部、連結部のうちの第１支持部が設けられていない別の一つに設けられていても良い。本発明の第１支持部、第２支持部は、少なくとも二つ（一対）あれば良く、３以上であっても良い。
【００５０】
本発明の少なくとも一つの第１保持孔は、火床またはフレームの任意の一部に設けられていると良い。少なくとも一つの第１保持孔がフレームに設けられる場合、当該フレームの一部は、火床よりも上側に位置していると良いが、これに限定されるものではない。フレームの一部は、串保持具に対向するように火床の中央部側に下り傾斜していても良いし、傾斜しておらずＺ−Ｚ’方向に延びていても良い。なお、フレームの一部としては、例えば、フレームが筒体や筐体である場合、その側板とすることが可能であり、フレームが板体である場合、板体とすることが可能であるが、これに限定されるものではない。少なくとも一つの第１保持孔が火床の一部に設けられる場合、この火床の一部だけが串保持具に対向するように火床の中央部側に下り傾斜していても良い。
【００５１】
本発明の串保持具は、火床の燃焼空間の上側または燃焼空間内において火床の一部に対して斜め上側に配置されており、且つ少なくとも一つの第２保持孔を有している限り任意に設計変更することが可能である。本発明の串保持具は、懸架部材に支持されるものに限定されず、上記した何れかの態様の火床、フレーム、脚部および／または連結部に取り付けられる取付手段を有していても良い。本発明の少なくとも一つの第２保持孔は、串保持具を上下に貫通しており且つ第１保持孔の斜め上側に配置される限り任意に設計変更することが可能である。
【００５２】
なお、上記実施例の各態様および設計変形例における屋外用燃焼装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明のＺ−Ｚ’方向は、本発明の高さ方向である限り任意に設定可能である。本発明のＸ−Ｘ’方向は、Ｚ−Ｚ’方向に交差する限り任意に設定可能である。本発明のＹ−Ｙ’方向は、Ｚ−Ｚ’方向およびＸ−Ｘ’方向に交差しており且つＺ−Ｚ’方向およびＸ−Ｘ’方向が位置する平面上に位置しない限り任意に設定することができる。
【符号の説明】
【００５３】
Ｂ：屋外用燃焼装置
１００：火床
１１０（１１０ａ、１１０ｂ）：側板
１１１ｂ：第１板
１１２ｂ：第２板
１１３：第１保持孔
１２１：ヒンジ部
１２２：ヒンジ部
Ｓ１：第１支持部
Ｓ２：第２支持部
２００：懸架部材
３００：串保持具
３０１：フック
３１０：第２保持孔
４００：燃料載置部
５００：脚部
６００：灰受け
【図１Ａ】
2019042213.tif 000003
【図１Ｂ】
2019042213.tif 000004
【図１Ｃ】
2019042213.tif 000005
【図１Ｄ】
2019042213.tif 000006
【図１Ｅ】
2019042213.tif 000007
【図２Ａ】
2019042213.tif 000008
【図２Ｂ】
2019042213.tif 000009
【図３Ａ】
2019042213.tif 000010
【図３Ｂ】
2019042213.tif 000011
【図３Ｃ】
2019042213.tif 000012
【図４Ａ】
2019042213.tif 000013
【図４Ｂ】
2019042213.tif 000014
【図５Ａ】
2019042213.tif 000015
【図５Ｂ】
2019042213.tif 000016
【図５Ｃ】
2019042213.tif 000017